(57)【要約】【課題】  引き裂き強度に優れ、かつ美観も良好な新規な熱溶着パターンを備えた収納ポケットを提供する。【解決手段】  表裏のシートからなり、その少なくとも一辺に開口を有し、該開口と隣り合う一辺が熱溶着されて閉塞された収納ポケットにおいて、前記熱溶着部は、前記開口に向けて先端がく字形に突出する熱溶着線が前記一辺に沿って多数配列されてなる。このように、開口に向けて先端がく字形に突出する熱溶着線が形成されるので、書類の挿入時に開口側から熱溶着部に応力が加わったとしても、く字形の傾斜辺で応力を分散することになる。そのため、熱溶着部の引き裂き強度を十分保つことができる。その上、溶着線もく字形線を多数配列したものであるため、厚手のシートを使用した場合も樹脂の湧き出しもなく、美観にも優れた熱溶着パターンを提供することができる。【選択図】  図１
2006218790.tif 000002
【特許請求の範囲】
【請求項１】
表裏のシートからなり、その少なくとも一辺に開口を有し、該開口と隣り合う一辺が熱溶着されて閉塞された収納ポケットにおいて、前記熱溶着部は、前記開口に向けて先端がく字形に突出する熱溶着線が前記一辺に沿って多数配列されてなることを特徴とする収納ポケット。
【請求項２】
前記表裏のシートは、一枚のシートの中央を折り畳むことにより構成され、少なくとも底辺同士が熱溶着により閉塞され、折り畳み辺と対向する側辺が開口することを特徴とする請求項１に記載の収納ポケット。
【請求項３】
シートが表紙、裏表紙および背表紙のうちのいずれか、又は背表紙を中心にその両側の表紙および裏表紙に跨って覆われ、シートの側辺が熱溶着され、該シートの上辺が開口する見出し用収納ポケットであって、前記熱溶着部は、前記シートの上辺側の開口に向けて先端がく字形に突出する熱溶着線がシートの側辺に沿って多数配列されてなることを特徴とする見出し用収納ポケット。
【請求項４】
前記シートの底辺の端部が熱溶着され、底辺の中央部分が開口され、前記熱溶着部が底辺の開口に向かって先端がく字形に突出する熱溶着線を底辺に沿って多数配列されてなることを特徴とする請求項３に記載の見出し用収納ポケット。
【発明の詳細な説明】
【技術分野】
【０００１】
本発明は、引き裂き強度を向上させる溶着パターン形状を備えた収納ポケットに関するものである。
【背景技術】
【０００２】
この種の収納ポケットでは、樹脂シートの少なくとも一辺を熱溶着（超音波溶着も含む）することにより、一辺を閉塞して使用することが多い。近年、この種の収納ポケットでは、使用される樹脂が多様化し、また、環境問題への意識の向上から再生資材の配合率を高める要求が高まってきている。
【０００３】
このような背景において、収納ポケットに種々の素材を用いて熱溶着を行う場合、熱溶着部における十分な引き裂き強度と美観の両方を同時に満足できない場合が生じている。
【０００４】
例えば、連続する帯状の溶着パターンを形成する場合、これにより密封性と引き裂き強度は確保できるが、厚手（８０μ〜１００μ程度）のシートを使用して溶着すると、溶かした樹脂が湧き出し、これが原因で美しい仕上がりにならないという問題がある。
【０００５】
また、特許文献１に示すように、点線状の溶着パターンを採用する場合も多いが、この場合、書類の挿入時に収納ポケットの開口端側から応力が加わり、溶着部が剥離しやすいという問題があった。
【特許文献１】実用新案登録第３０３０３８３号公報
【発明の開示】
【発明が解決しようとする課題】
【０００６】
本発明は、上記に鑑み、引き裂き強度に優れ、かつ美観も良好な新規な熱溶着パターンを備えた収納ポケットの提供を目的としている。
【課題を解決するための手段】
【０００７】
上記目的を達成するため、本発明は、表裏のシートからなり、その少なくとも一辺に開口を有し、該開口と隣り合う一辺が熱溶着されて閉塞された収納ポケットにおいて、前記熱溶着部は、前記開口に向けて先端がく字形に突出する熱溶着線が前記一辺に沿って多数配列されてなることを特徴とする。
【０００８】
上記構成によると、開口に向けて先端がく字形に突出する熱溶着線が形成されるので、書類の挿入時に開口側から熱溶着部に応力が加わったとしても、く字形の傾斜辺で応力を分散することになる。そのため、熱溶着部の引き裂き強度を十分保つことができる。その上、溶着線もく字形線を多数配列したものであるため、厚手のシートを使用した場合も樹脂の湧き出しもなく、美観にも優れた熱溶着パターンを提供することができる。
【０００９】
ここで、収納ポケットの形態は特に限定されるものではないが、その一例を示すと、表裏のシートは、一枚のシートの中央を折り畳むことにより構成され、少なくとも底辺同士が熱溶着により閉塞され、折り畳み辺と対向する側辺が開口する収納ポケットが挙げられる。この場合、上辺および側辺が共に開口したタイプの収納ポケットや、上辺が閉塞したいわゆるサイドインタイプの収納ポケットであってもよい。
【００１０】
さらに、両側辺および底辺が閉塞し、上辺が開口したタイプの収納ポケットであってもよい。この場合、熱溶着パターンを側辺に施すことになるが、側辺の熱溶着パターンは上辺の開口に向かって先端がく字形に突出する熱溶着線が前記一辺に沿って多数配列されて形成される。
【００１１】
また、収納ポケットは、クリアポケットのみならず、見出し用収納ポケットであってもよい。その一例を示すと、シートが表紙、裏表紙および背表紙のうちのいずれか、又は背表紙を中心に両側の表紙および裏表紙に跨って覆われ、シートの側辺が熱溶着され、上辺が開口する見出し用収納ポケットであって、前記熱溶着部は、上辺側の開口に向けて先端がく字形に突出する熱溶着線が側辺に沿って多数配列されてなることを特徴とする。
【００１２】
上記構成によると、上辺の開口から挿入する見出し片によって側辺の熱溶着部には下向きの応力が加わることになるが、先端がく字形に突出する熱溶着線によって、下向きの応力がく字形の傾斜辺で分散され、十分な引き裂き強度を確保することができる。
【００１３】
また、見出し用収納ポケットの場合、底辺側の端部を閉塞し、背表紙部分で開口することが多い。この場合、底辺の端部に熱溶着部を形成することになるが、その熱溶着部は底辺の開口に向かって先端がく字形に突出する熱溶着線を底辺に沿って多数配列する構成を採用すればよい。
【発明の効果】
【００１４】
以上のとおり、本発明によると、開口に向けて先端がく字形に突出する熱溶着線が形成されるので、書類の挿入時に開口側から熱溶着部に応力が加わったとしても、く字形の傾斜面で応力を分散することになる。そのため、熱溶着部の引き裂き強度を十分保つことができ、その上、溶着線もく字形線を多数配列したものであるため、厚手のシートを使用した場合も樹脂の湧き出しもなく、美観にも優れた熱溶着パターンを提供することができる。
【発明を実施するための最良の形態】
【００１５】
以下、本発明の実施形態を図面に基づいて説明する。図１は本発明の実施形態を示す収納ポケット（クリアポケット）の概略図、図２は熱溶着パターンの拡大図である。
【００１６】
図に示すように、本実施形態の収納ポケット１は、表裏のシート２，３からなり、その少なくとも一辺４に開口１１を有し、該開口１１と隣り合う一辺５が熱溶着６されて閉塞されており、熱溶着部６は、前記開口に向けて先端がく字形に突出する熱溶着線６ａが一辺５に沿って多数配列されてなるものである。
【００１７】
本実施形態においては、表裏のシート２，３は、一枚のシートの中央を折り畳むことにより構成され、上辺７と一側辺４とが開口され、他側辺８が折り畳み辺とされ、底辺５同士が熱溶着により閉塞されている。そして、開口側の側辺４の下部には、開口を開くときに底辺５の熱溶着部６に加わる応力を逃がす切欠凹部１０が形成されている。
【００１８】
シート２，３の素材は、熱可塑性樹脂であれば特に限定されないが、ポリエチレン（ＰＥ）、ポリプロピレン（ＰＰ）、ＰＥＴなどが例示でき、さらには再生ＰＥＴとＰＥとを混合したものであってもよい。また、シート素材の厚みも特に限定されず、５０μ〜２００μ程度のものが好適に用いられる。
【００１９】
く字形の熱溶着線６ａは、図２に示すように、頂部６ｂが開口１１に向かって突出するものであればよく、その頂角θも３０度から１２０度の範囲、好ましくは６０度〜９０度の範囲で選定すればよい。隣り合う溶着線６ａ同士の間隔も特に限定されないが、十分な引き裂き強度を確保する上で、０．５ｍｍ〜２ｍｍ程度の間隔が好ましい。溶着線の幅も特に限定されるものではないが、０．２ｍｍ〜２ｍｍ程度が例示できる。
【００２０】
図３は溶着部にかかる力に対する応力の分散・集中度合いを示す説明図である。図においては、本発明の溶着パターン形状を備えた収納ポケットに開口１１に直交する方向から底辺５に沿って力Ａが加わった場合、底辺５に直交する方向から力Ｂが加わった場合、開口１１の上方から底辺５に向けて斜め方向から力Ｃが加わった場合について、その応力の分散程度を示している。比較のために、溶着部６のく字形の頂部６ｂを開口１１と反対側に向けた逆パターン形状の溶着部について、開口１１に直交する方向から底辺５に沿って力Ｄが加わった場合の応力集中程度を示す。
【００２１】
図３から明らかなように、力Ａ、Ｂ、Ｃがいずれの方向から加わっても、く字形の斜辺によって応力を分散するように働く。これに対し、逆パターンの場合、く字形の頂部を開口１１と反対側に向けているので、く字形の斜辺に沿って応力が集中するものと考えられる。実験からも、本発明の溶着パターンの引き裂き強度が強いことが実証された。
【００２２】
図４は本発明の別の実施形態である見出し用収納ポケットの斜視図である。図に示すように、本発明の収納ポケット１は、見出し用収納ポケットとしても使用することができる。
【００２３】
図に示すように、見出し用収納ポケット１は、シート１３の側辺１４および底辺１５が表紙１６に熱溶着され、シート１３の上辺１７が開口１８している。この側辺１４に施す熱溶着部１９は、シート１３の上辺側の開口１８に向けて先端がく字形に突出する熱溶着線１９ａがシート１３の側辺１４に沿って多数配列されている。底辺１５も同様にく字形の溶着線が多数配列しているが、その向きは左右いずれであってもよい。
【００２４】
上記構成において、上辺１７の開口から挿入する見出し片（図示略）によって側辺１４の熱溶着部１９には下向きの応力が加わることになるが、先端がく字形に突出する熱溶着線１９ａによって、下向きの応力がく字形の傾斜辺で分散され、十分な引き裂き強度を確保することができる。
【００２５】
図５は見出し用収納ポケットのさらに別の実施形態を示す斜視図である。この例では、シート１３が背表紙２０を中心にその両側の表紙１６および裏表紙２１に跨って覆われ、シートの側辺１４が熱溶着され、該シート１４の上辺１７が開口され、熱溶着部１９は、シート１３の上辺側の開口１８に向けて先端がく字形に突出する熱溶着線１９ａがシート１３の側辺１４に沿って多数配列されている。
【００２６】
さらに、シート１３の底辺２３の端部が熱溶着２４され、底辺の中央部分が開口され、熱溶着部２４が底辺２３の開口２５に向かって先端がく字形に突出する熱溶着線２４ａが底辺２３に沿って多数配列されている。
【００２７】
上記構成においても、上辺１７の開口から挿入する見出し片（図示略）によって側辺１４の熱溶着部１９には下向きの応力が加わることになるが、先端がく字形に突出する熱溶着線１９ａによって、下向きの応力がく字形の傾斜辺で分散され、十分な引き裂き強度を確保することができる。
【００２８】
また、見出し片がシート１３の底辺２３にも力を加えるので、底辺２３に開口２５がある場合、開口２５に向かって先端がく字形に突出する熱溶着線２４ａを形成すると、応力が分散され、耐久性を向上させることができる。
【００２９】
なお、本発明は、上記実施形態に限定されるものではなく、本発明の範囲内で多くの修正・変更を加えることができるのは勿論である。例えば、上記実施形態では収納ポケットとして、書類収納用のクリアポケットと見出し用収納ポケットを例示したが、これに限らず、各種の対象物の収納ポケットに適用することができるのは勿論である。
【図面の簡単な説明】
【００３０】
【図１】本発明の実施形態を示す収納ポケット（クリアポケット）の概略図
【図２】同じく熱溶着パターンの拡大図
【図３】溶着パターン形状により溶着部にかかる力の分散・集中状態が変化することを説明する図
【図４】本発明の別の実施形態である見出し用収納ポケットの斜視図
【図５】同じくさらに別の実施形態である見出し用収納ポケットの斜視図
【符号の説明】
【００３１】
１      収納ポケット
・  表裏のシート
４      一辺（側辺）
５      底辺
６      熱溶着部
６ａ    熱溶着線
７      上辺
８      他側辺
１０    切欠凹部
１１    開口
１３    シート
１４    側辺
１５    底辺
１６    表紙
１７    上辺
１８    開口
１９    熱溶着線
２０    背表紙
２１    裏表紙
２３    底辺
２４    熱溶着部
２４ａ  熱溶着線
【図１】
2006218790.tif 000003
【図２】
2006218790.tif 000004
【図３】
2006218790.tif 000005
【図４】
2006218790.tif 000006
【図５】
2006218790.tif 000007